(57)【要約】【課題】色調に対する変化とソフト感を同時に与えることができる装飾体を提案する。【解決手段】透明又は半透明になる合成樹脂を母材とする装飾体において、前記母材に、光拡散材を含有させるとともに、その表裏面の少なくとも一方に、該母材を透過する光を屈折させる凹凸を設ける。【選択図】        図１
2004202733.tif 000002
【特許請求の範囲】
【請求項１】
透明又は半透明になる合成樹脂を母材とする装飾体であって、
前記母材に光拡散材を含有させるとともに、その表裏面の少なくとも一方に、該母材を透過する光を屈折させる凹凸を設けたことを特徴とする合成樹脂製装飾体。
【請求項２】
光拡散材を３〜５mass％の範囲で含有する請求項１記載の合成樹脂製装飾体。
【請求項３】
母材の表裏面の少なくとも一方に、金属の薄膜を被成してなる、請求項１又は２記載の合成樹脂製装飾体。
【請求項４】
金属光沢を有し母材の表面又は裏面に合わさる基材を配設してなる、請求項１〜３の何れかに記載の合成樹脂製装飾体。
【発明の詳細な説明】
【０００１】
【発明の属する技術分野】
本発明は、容器そのもの、あるいは容器の蓋等を構成する部材に用いて好適な合成樹脂製の装飾体に関するものであり、該装飾体の色調に対する変化とソフト感を同時に与えて、他の商品との有利な識別化を図ろうとするものである。
【０００２】
【従来の技術】
化粧料等を入れておくコンパクト等の容器は、質感や高級感を高めるために金属の蒸着層をその表面に被成する表面処理を施すことで色調に変化を加えて他の商品との識別化を図る試みがなされており、これまでに数多くの容器が製作され使用に供されている。
【０００３】
この点に関する先行技術としては、合成樹脂からなる母体の凹模様を削設成形した裏面に透明なアンダーコートを被覆形成し、該アンダーコートの凹模様を除く母体の裏面部分に対応する部分上に金属蒸着層と不透明な印刷層とを順に積層配置した透明硬質合成樹脂製装飾体が知られている（例えば、特許文献１参照）。
【０００４】
【特許文献１】
特公昭６２−１３１８３号公報。
【０００５】
ところで、この種の装飾体は、金属光沢がそのまま表出した単調な色調を有するものがほとんどであり、装飾体に対して局所的に模様を付与する工夫が見られるものの、他の商品との顕著な識別を図れるような提案は未だ見られていない。
【０００６】
【発明が解決しようとする課題】
本発明の課題は、容器本体そのもの外観部材や蓋等を構成する部材につき、その色調に艶消し状態の如きソフト感を与えるとともに光の反射具合でその色調を種々に変化させることができる新規な装飾体を提案するところにある。
【０００７】
【課題を解決するための手段】
本発明は、透明又は半透明になる合成樹脂を母材とする装飾体であって、
前記母材に光拡散材を含有させるとともに、その表裏面の少なくとも一方に、該母材を透過する光を屈折させる凹凸を設けたことを特徴とする合成樹脂製装飾体である。
【０００８】
上記の装飾体は母材に光拡散材を３〜５mass％の範囲で含有するものがとくに好ましい。
【０００９】
また、母材の表裏面の少なくとも一方には、蒸着あるいはスパッタリングによって金属の薄膜を被成するのが望ましく、さらには、該母材の表面あるいは裏面には、金属光沢を有する基材を合致させて母材を配置した側を装飾体の表面とすることができる。
【００１０】
【発明の実施の形態】
以下、図面を用いて本発明をより具体的に説明する。
【００１１】
図１は本発明に従う装飾体の外観斜視図であり、図２はその断面を示した図である。
【００１２】
図において１は透明又は半透明になる合成樹脂からなる母材、２は母材１の裏面に設けられ該母材１を透過する光を屈折させる凹凸（この例では細溝を並列に複数本配列した例で示してある）であり、母材１中には、その図２に断面を示すように光拡散材３としてカルシウムカルホナあるいはガラスビース等が３〜５mass％の範囲内で含有されている。
【００１３】
上記のような構成になる装飾体は、母材１の表面から裏面に向けて光が透過するとき、光拡散材３によって光が拡散されるとともに、裏面の凹凸２において光が屈折することで様々な波長の光となって乱反射し、その結果、該装飾体は単一色であっても目視する角度や距離によって様々に変化したソフト感のある色調となる。
【００１４】
図３は上掲図１に示した母材１の凹凸２に対して蒸着、あるいはスパッタリングによって金属の薄膜４を被成した構造のものである。
【００１５】
かかる構造の装飾体は、母材１をその表面から目視したとき、薄膜の色が浮き出ることになるが、母材１を透過する光の拡散と凹凸２での乱反射で光沢の弱められたソフト感のある色調となる。
【００１６】
とくに金属の薄膜４は、複数の金属の薄膜をそれぞれ交互に、被成する積層タイプとしてもよいし、複数の金属を混在させた状態で薄膜を被成するようにしてもよく、この点については限定されない。
【００１７】
金属の薄膜４を被成するにあたって使用できる金属としては、とくに制限はなく、代表的なものとしてはアルミニウム、金、銀、銅、クロム、ニッケル、ゲルマニウム、チタンや金属の酸化物、フッ化物、硫化物等があるが、例えば、シリカとジルコニウムを使用してそれらの薄膜を交互に被成した場合、膜厚によっても多少の違いはあるが、基本的には光沢の抑えられたソフト感のある均一な黄金色を呈することになり、目視する角度や距離によっては赤色系から紫色系までの様々は色調に変化し母材１が合成樹脂であるにもかかわらず質感が高められる。
【００１８】
また、シリカとジルコニウムにつき、混在状態で薄膜を被成すると、縞模様がランダムに形成された光沢の抑えられたソフト感のある黄金色を呈し、この場合も目視する角度や距離に応じて色調が変化する。
【００１９】
図４は上掲図３に示した装飾体につき、その裏面で金属光沢（銀色）を有する薄膜を備えた基材５に合致させた本発明の他の実施の形態を示した例である。
【００２０】
図示のような構成になる装飾体は、母材１の裏面と基材５との間に空間が形成されるため、母材１を透過する光が薄膜４を経て基材５の表面上に到達して乱反射することで、よりソフトで深みのある色調が得られる。
【００２１】
上掲図１〜４に示した装飾体は、フラットな面を表面とし、凹凸２の有する面を裏面として説明したが、ラベルの貼着や文字等の印刷等に支障がない限り凹凸２の有する面を表面としてもかまわない。
【００２２】
また、本発明の実施の形態では、凹凸２の面に沿って金属の薄膜４を被成する場合を示したが、フラットな面に金属の薄膜を被成することもできる。
【００２３】
基材５については、母材１と同様に合成樹脂にて構成でき、その表面に金属光沢を付与するには例えば蒸着処理によってアルミの薄膜を被成すればよい。
【００２４】
母材１、基材４はともに合成樹脂の射出成形品が適用でき、これを例えばコンパクトの蓋に適用する場合に、基材４を蓋本体とし、母材１を蓋本体の上面に被さるカバー体として構成することが可能であるが、比較的厚みの薄いフィルムあるいは各種成形品にも応用することができ、コンパクト等の容器にのみ限定はされない。
【００２５】
凹凸２については、本発明の実施の形態では三角形断面になる溝を並列に複数本配設した例として示したが、該凹凸２は、矩形や円形、菱形等をドット状に配置したものであってもよく、加飾すべき製品に応じて適宜に変更することができる。
【００２６】
【発明の効果】
本発明によれば、装飾体の色調に対する独特の変化とソフト感（艶消し状態）を同時に与えることが可能であり、他の商品との識別化をより一層顕著にすることができる。
【図面の簡単な説明】
【図１】本発明にしたがう装飾体の実施の形態を示す外観斜視図である。
【図２】図１の断面を示した図である。
【図３】本発明にしたがう装飾体の他の実施の形態を示した図である。
【図４】本発明にしたがう装飾体の他の実施の形態を示した図である。
【符号の説明】
１  母材
２  凹凸
３  光拡散材
４  金属の薄膜
５  基材
【図１】
2004202733.tif 000003
【図２】
2004202733.tif 000004
【図３】
2004202733.tif 000005
【図４】
2004202733.tif 000006